(57)【要約】【課題】電気機器において、断線時のスパーク片がコードアーマーから飛散することを解消して、安全性の向上を図る。【解決手段】コードアーマー１０の本体部１５に、装着部１６側から突出端２１側に向って、隣り合う領域同士で互いに曲げ剛性の異なる第１アーマー領域１５Ａ、第２アーマー領域１５Ｂ、及び第３アーマー領域１５Ｃを設ける。第１アーマー領域１５Ａの曲げ剛性をＢ１、第２アーマー領域１５Ｂの曲げ剛性をＢ２、第３アーマー領域１５Ｃの曲げ剛性をＢ３としたとき、Ｂ１＞Ｂ２の関係式、及びＢ３＞Ｂ２の関係式を満たすように構成する。【選択図】図１
2019212758.tif 000002
【特許請求の範囲】
【請求項１】
機器本体（５）と、機器本体（５）が収容される本体ケース（３）と、本体ケース（３）から導出されて機器本体（５）に電力を供給する電源コード（８）と、電源コード（８）の導出部分の外面を覆うコードアーマー（１０）とを備え、
コードアーマー（１０）は、本体ケース（３）側に設けられたコード開口（２０）と突出端（２１）側に設けられた先端開口（２２）とを有し、両開口（２０・２２）の間に電源コード（８）が挿通される挿通孔（２３）を有する軸方向に長い丸筒状の本体部（１５）と、本体ケース（３）のコード取出口（１８）に嵌着される装着部（１６）とを備え、これら本体部（１５）と装着部（１６）とを一体に成形してなる可撓性を有する成形品であり、
本体部（１５）には、装着部（１６）側から突出端（２１）側に向って、隣り合う領域同士で互いに曲げ剛性の異なる第１アーマー領域（１５Ａ）、第２アーマー領域（１５Ｂ）、及び第３アーマー領域（１５Ｃ）が設けられており、
第１アーマー領域（１５Ａ）の曲げ剛性を（Ｂ１）、第２アーマー領域（１５Ｂ）の曲げ剛性を（Ｂ２）、第３アーマー領域（１５Ｃ）の曲げ剛性を（Ｂ３）としたときに、（Ｂ１＞Ｂ２）の関係式、及び（Ｂ３＞Ｂ２）の関係式を満たすように構成されていることを特徴とする電気機器。
【請求項２】
第１アーマー領域（１５Ａ）〜第３アーマー領域（１５Ｃ）の曲げ剛性（Ｂ１〜Ｂ３）が、（Ｂ１＞Ｂ３＞Ｂ２）の関係式を満たすように構成されている、請求項１記載の電気機器。
【請求項３】
第３アーマー領域（１５Ｃ）の突出端（２１）側に、該第３アーマー領域（１５Ｃ）と曲げ剛性の異なる第４アーマー領域（１５Ｄ）が設けられており、
第４アーマー領域（１５Ｄ）の曲げ剛性を（Ｂ４）としたときに、（Ｂ３＞Ｂ４）の関係式を満たすように構成されている、請求項１又は２記載の電気機器。
【請求項４】
第１アーマー領域（１５Ａ）〜第４アーマー領域（１５Ｄ）の曲げ剛性（Ｂ１〜Ｂ４）が、（Ｂ１＞Ｂ３＞Ｂ２＞Ｂ４）の関係式を満たすように構成されている、請求項３記載の電気機器。
【請求項５】
本体部（１５）の外周面に軸方向に向って走るように、少なくとも一つのリブ（３０）が突設されている、請求項１乃至４のいずれか一つに記載の電気機器。
【請求項６】
リブ（３０）が第１アーマー領域（１５Ａ）から第３アーマー領域（１５Ｃ）に亘って形成されている、請求項５記載の電気機器。
【請求項７】
本体部（１５）の外周面の対向位置に一対のリブ（３０・３０）が突設されている、請求項５又は６記載の電気機器。
【請求項８】
電源コード（８）は、２本の芯線（１１・１１）と両芯線（１１・１１）を被覆する絶縁被覆（１２）からなり、断面視で長辺方向と短辺方向とを有する長尺形に形成されており、
本体ケース（３）、或いは装着部（１６）により規定される電源コード（８）の長辺方向と、外周面の対向位置に突設された一対のリブ（３０・３０）の配列方向とが一致している、請求項７記載の電気機器。
【請求項９】
軸方向と直交する方向におけるリブ（３０）の長さを幅寸法としたとき、第１アーマー領域（１５Ａ）と第２アーマー領域（１５Ｂ）との境界部におけるリブ（３０）の幅寸法（Ｗ１）が、第２アーマー領域（１５Ｂ）と第３アーマー領域（１５Ｃ）との境界部における幅寸法（Ｗ２）よりも大きく設定されている、請求項５乃至８のいずれか一つに記載に電気機器。
【請求項１０】
リブ（３０）が、装着部（１６）側に設けられて軸方向と直交する方向に膨出形成されて突出端（２１）に向って幅寸法が漸減する水滴状の第１リブ部（３０Ａ）と、第１リブ部（３０Ａ）に連続して突出端（２１）に向って漸次幅寸法が小さくなる先窄まりテーパー状の第２リブ部（３０Ｂ）とを含み、
第１リブ部（３０Ａ）の幅寸法の漸減割合が、第２リブ部（３０Ｂ）の幅寸法の漸減割合よりも大きく設定されている、請求項９記載の電気機器。
【請求項１１】
第２アーマー領域（１５Ｂ）の外周面には、周方向に伸びる凹溝（２８）と凸条（２７）とを軸方向に交互に多段状に配列してなる蛇腹部が形成されており、
第２アーマー領域（１５Ｂ）の軸方向の中央部における凸条（２７（２７Ａ））の突端位置が、軸方向の端部における凸条（２７（２７Ｂ））の突端位置よりも周方向の外寄りに位置している、請求項１乃至１０のいずれか一つに記載の電気機器。
【請求項１２】
第２アーマー領域（１５Ｂ）の外周面には、周方向に伸びる凹溝（２８）と凸条（２７）とを軸方向に交互に多段状に配列してなる蛇腹部が形成されており、
第２アーマー領域（１５Ｂ）の軸方向の中央部における隣り合う凸条（２７・２７）同士の間隔寸法（ｄ１）が、軸方向の端部における隣り合う凸条（２７・２７）同士の間隔寸法よりも小さく設定されている、請求項１乃至１０のいずれか一つに記載の電気機器。
【発明の詳細な説明】
【技術分野】
【０００１】
本発明は、ヘアードライヤーやヘアーアイロンなどの電気機器に関し、なかでも本体ケースから導出される電源コードの外面を覆うコードアーマーに関する。
【背景技術】
【０００２】
ヘアードライヤーなどの電気機器の分野において、電気機器の本体ケースから導出される電源コードの保護を目的として、電源コードの外面を筒状のコードアーマーで被覆することは広く知られている。コードアーマーの上下方向における筒壁の肉厚寸法を大小に変化させることも公知であり、特許文献１に記載のコードアーマーでは、本体ケースからの導出基端側（上方側）の筒壁の肉厚寸法に比べて、突出端側（下方側）における筒壁の肉厚寸法を小さくして、上方の導出基端側は曲がり難く、下方の突出端側は曲がり易くしており、電源コードに捻回や屈曲が加わった場合には、両者（導出基端側と突出端側）の境界部で断線が発生するようにしている。コードアーマーの内部には、電源コードの挿通を許す筒孔が形成されており、筒孔の内周面と電源コードの外周面との間には空間部が形成されている。突出端における筒孔の開口寸法は、電源コードの外周面の外形寸法と一致しており、突出端における空間部は閉塞されている。
【先行技術文献】
【特許文献】
【０００３】
【特許文献１】実願昭５７−１９２４２４号（実開昭５９−９６８７８号）のマイクロフィルム
【発明の概要】
【発明が解決しようとする課題】
【０００４】
特許文献１のコードアーマーのように、導出基端側と突出基端の境界部で断線を発生させるようにしていると、コードアーマー内で断線を発生させることができるので、ある程度はスパークが外部に飛び散ることを防ぐことができる。加えて、突出端における空間部が閉塞されていると、断線が発生し、その熱で撚り線や絶縁被覆などが溶けて液滴状に固化し、スパーク片が発生した場合にも、スパーク片を空間部内に留めて空間部内で勢いを弱めることができるので、スパーク片がコードアーマーの突出端から飛び出すことを防ぐことができる。しかし、特許文献１のコードアーマーでは、断線の発生箇所が突出端の近傍になる可能性があり、この場合、空間部の軸方向の長さが足りなくなるため、空間部内でスパーク片の熱を弱めることができず、コードアーマーの下端において大きなダメージを受けるおそれがあり、これを防ごうとすればコードアーマーが大型化してしまう。
【０００５】
本発明は、断線時にスパーク片がコードアーマーから飛び出すことを確実に防止して電気機器の安全性の向上を図ることを目的とする。
【課題を解決するための手段】
【０００６】
本発明は、機器本体５と、機器本体５が収容される本体ケース３と、本体ケース３から導出されて機器本体５に電力を供給する電源コード８と、電源コード８の導出部分の外面を覆うコードアーマー１０とを備える電気機器を対象とする。コードアーマー１０は、本体ケース３側に設けられたコード開口２０と突出端２１側に設けられた先端開口２２とを有し、両開口２０・２２の間に電源コード８が挿通される挿通孔２３を有する軸方向に長い丸筒状の本体部１５と、本体ケース３のコード取出口１８に嵌着される装着部１６とを備え、これら本体部１５と装着部１６とを一体に成形してなる可撓性を有する成形品である。本体部１５には、装着部１６側から突出端２１側に向って、隣り合う領域同士で互いに曲げ剛性の異なる第１アーマー領域１５Ａ、第２アーマー領域１５Ｂ、及び第３アーマー領域１５Ｃが設けられており、第１アーマー領域１５Ａの曲げ剛性をＢ１、第２アーマー領域１５Ｂの曲げ剛性をＢ２、第３アーマー領域１５Ｃの曲げ剛性をＢ３としたときに、（Ｂ１＞Ｂ２）の関係式、及び（Ｂ３＞Ｂ２）の関係式を満たすように構成されていることを特徴とする。
【０００７】
第１アーマー領域１５Ａ〜第３アーマー領域１５Ｃの曲げ剛性Ｂ１〜Ｂ３が、（Ｂ１＞Ｂ３＞Ｂ２）の関係式を満たすように構成される。
【０００８】
第３アーマー領域１５Ｃの突出端２１側に、該第３アーマー領域１５Ｃと曲げ剛性の異なる第４アーマー領域１５Ｄを設ける。この場合には、第４アーマー領域１５Ｄの曲げ剛性をＢ４としたときに、（Ｂ３＞Ｂ４）の関係式を満たすように構成される。
【０００９】
第１アーマー領域１５Ａ〜第４アーマー領域１５Ｄの曲げ剛性Ｂ１〜Ｂ４が、（Ｂ１＞Ｂ３＞Ｂ２＞Ｂ４）の関係式を満たすように構成される。
【００１０】
本体部１５の外周面に軸方向に向って走るように、少なくとも一つのリブ３０が突設される。
【００１１】
リブ３０は、第１アーマー領域１５Ａから第３アーマー領域１５Ｃに亘って形成される。
【００１２】
本体部１５の外周面の対向位置に一対のリブ３０・３０が突設される。
【００１３】
電源コード８は、２本の芯線１１・１１と両芯線１１・１１を被覆する絶縁被覆１２からなり、断面視で長辺方向と短辺方向とを有する長尺形に形成されている。本体ケース３、或いは装着部１６により規定される電源コード８の長辺方向と、外周面の対向位置に突設された一対のリブ３０・３０の配列方向とが一致されている。
【００１４】
軸方向と直交する方向におけるリブ３０の長さを幅寸法としたとき、第１アーマー領域１５Ａと第２アーマー領域１５Ｂとの境界部におけるリブ３０の幅寸法Ｗ１が、第２アーマー領域１５Ｂと第３アーマー領域１５Ｃとの境界部における幅寸法Ｗ２よりも大きく設定されている。
【００１５】
リブ３０が、装着部１６側に設けられて軸方向と直交する方向に膨出形成されて突出端２１に向って幅寸法が漸減する水滴状の第１リブ部３０Ａと、第１リブ部３０Ａに連続して突出端２１に向って漸次幅寸法が小さくなる先窄まりテーパー状の第２リブ部３０Ｂとを含む。第１リブ部３０Ａの幅寸法の漸減割合が、第２リブ部３０Ｂの幅寸法の漸減割合よりも大きく設定されている。
【００１６】
第２アーマー領域１５Ｂの外周面には、周方向に伸びる凹溝２８と凸条２７とを軸方向に交互に多段状に配列してなる蛇腹部が形成されている。第２アーマー領域１５Ｂの軸方向の中央部における凸条２７（２７Ａ）の突端位置が、軸方向の端部における凸条２７（２７Ｂ）の突端位置よりも周方向の外寄りに位置している。
【００１７】
第２アーマー領域１５Ｂの外周面には、周方向に伸びる凹溝２８と凸条２７とを軸方向に交互に多段状に配列してなる蛇腹部が形成されている。第２アーマー領域１５Ｂの軸方向の中央部における隣り合う凸条２７・２７同士の間隔寸法（ｄ１）が、軸方向の端部における隣り合う凸条２７・２７同士の間隔寸法よりも小さく設定されている。
【発明の効果】
【００１８】
本発明に係る電気機器においては、第１アーマー領域１５Ａの曲げ剛性をＢ１、第２アーマー領域１５Ｂの曲げ剛性をＢ２、第３アーマー領域１５Ｃの曲げ剛性をＢ３としたときに、（Ｂ１＞Ｂ２）の関係式、及び（Ｂ３＞Ｂ２）の関係式を満たすように構成して、本体ケース３のコード取出口１８から導出された電源コード８が外力を受けて変形するとき、コードアーマー１０の第２アーマー領域１５Ｂが優先的に弾性変形されるようにした。こうした電気機器によれば、例えば長期に亘って繰り返して電源コード８の導出基端部に屈曲力が加わり、疲労破壊により電源コード８の導出基端部が断線に至る場合でも、第２アーマー領域１５Ｂで被覆された部分において電源コード８を断線させることができる。つまり第２アーマー領域１５Ｂで被覆された部分を断線予定部とすることができる。従って、スパーク片が突出端２１に至るまでの飛散距離を大きくして、コードアーマー１０の内部でスパーク片の熱を確実に放熱することができる。
【００１９】
コードアーマー１０の曲げ剛性が（Ｂ１＞Ｂ３＞Ｂ２）の関係式を満たすように構成されていると、第１アーマー領域１５Ａと第２アーマー領域１５Ｂとの境界部において、コードアーマー１０及び電源コード８を急角度に屈曲変形させることが容易となり、かかる境界部において断線を発生させることができる。以上より、第２アーマー領域１５Ｂの最上部を断線予定部とすることができるので、第２アーマー領域１５Ｂの中央部を断線予定部とする構成に比べて、スパーク片が突出端２１に至るまでの飛散距離をさらに大きくすることができる。従って、コードアーマー１０の内部でスパーク片の熱を放熱することができ、スパーク片がコードアーマー１０から飛び出すことをより確実に防ぐことができるので、電気機器の安全性向上に貢献できる。
【００２０】
第３アーマー領域１５Ｃの突出端２１側に、該第３アーマー領域１５Ｃと曲げ剛性の異なる第４アーマー領域１５Ｄが設けられており、第４アーマー領域１５Ｄの曲げ剛性をＢ４としたときに、（Ｂ３＞Ｂ４）の関係式を満たすように構成されていると、コードアーマー１０の突出端２１を電源コード８の動きに追随させて柔軟に屈曲させることができる。これによれば、電源コード８の変形時においてコードアーマー１０の突出端２１を優先的に弾性変形させることができるので、突出端２１部分で当該電源コード８に付与されるストレスを小さくして、突出端２１部分が他の部分よりも先に断線することを防止できる。
【００２１】
特に、第１アーマー領域１５Ａ〜第４アーマー領域１５Ｄが（Ｂ１＞Ｂ３＞Ｂ２＞Ｂ４）の関係式を満たすように構成して、第４アーマー領域１５Ｄの曲げ剛性を最小限化していると、電源コード８の変形時においてコードアーマー１０の突出端２１をより優先的に弾性変形させることができるので、当該電源コード８に付与されるストレスをより小さくすることができ、突出端２１部分が他の部分よりも先に断線することを確実に防止できる。
【００２２】
本体部１５の外周面に軸方向に向って走るように、少なくとも一つのリブ３０が突設されている構成を採ることができる。このように本体部１５の外周面にリブ３０が突設されていると、コードアーマー１０の捻り変形を抑えることができるので、当該コードアーマー１０に保護される電源コード８が不用意に捻れることを防いで、電源コード８が断線に陥ることを防ぐことができる。従って、電気機器の安全性向上に貢献できる。
【００２３】
リブ３０が第１アーマー領域１５Ａから第３アーマー領域１５Ｃに亘って形成されていると、本体部１５における軸方向のリブ３０の長さ寸法をより大きく採ることができるので、コードアーマー１０の捻り変形をより確実に抑えることができる。
【００２４】
本体部１５の外周面の対向位置に一対のリブ３０・３０が突設されていると、これらリブ３０・３０の形成方向に向って、コードアーマー１０が容易に屈曲変形することを抑えることができる。つまりリブ３０・３０の形成方向においては、コードアーマー１０に屈曲変形に対する規制力を付与できる。一方、リブ３０・３０の形成方向に対する直交する方向においては、コードアーマー１０の屈曲変形をリブ３０・３０が阻害することはない。以上より、実質的にコードアーマー１０の屈曲方向を、リブ３０・３０の形成方向に対して直交する方向に規定することができる。
【００２５】
一般的に断面視で長辺方向と短辺方向とを有する所謂「平コード」と称される電源コード８においては、短辺方向に電源コード８が屈曲することは想定されているものの、長辺方向に電源コード８が屈曲することは想定されておらず、当該長辺方向に向って繰り返して電源コード８が屈曲変形されると、疲労破壊により断線が生じ易い。つまり、平コードが長辺方向に屈曲されると、屈曲時に内側に位置する芯線１１に比べて、外側に位置する芯線１１は大きく伸長されるため、外側に位置する芯線１１に加わる歪や負荷などのストレスが大きくなることが避けられず、結果として疲労破壊により断線が生じ易い。そこで、本体ケース３、或いは装着部１６により規定される電源コード８の長辺方向と、外周面の対向位置に突設された一対のリブ３０・３０の配列方向とを一致させていると、電源コード８がその長辺方向へ屈曲されることを抑えることができるので、電源コード８が疲労破壊により断線することを効果的に防ぐことができる。リブ３０の存在により短辺方向（電源コード８の短辺方向）における電源コード８の屈曲が大きく妨げられることはなく、短辺方向に電源コード８を屈曲させることは容易となる。従って、電源コード８を環状に纏めて束ねるなどの作業をよりスムーズ且つ自然に行うことができる。
【００２６】
軸方向と直交する方向におけるリブ３０の長さを幅寸法としたとき、第１アーマー領域１５Ａと第２アーマー領域１５Ｂとの境界部におけるリブ３０の幅寸法Ｗ１が、第２アーマー領域１５Ｂと第３アーマー領域１５Ｃとの境界部における幅寸法Ｗ２よりも大きく設定されていると、装着部１６側で大きな規制力を確保しながら、突出端２１側における規制力を小さくすることができる。従って、装着部１６側では電源コード８の捻りを確実に防ぐとともに、突出端２１側では、電源コード８を容易に屈曲させることができ、電源コード８を環状に纏めて束ねるなどの作業をよりスムーズかつ自然に行うことができる。
【００２７】
リブ３０が、装着部１６側に設けられて軸方向と直交する方向に膨出形成されて突出端２１に向って幅寸法が漸減する水滴状の第１リブ部３０Ａと、第１リブ部３０Ａに連続して突出端２１に向って漸次幅寸法が小さくなる先窄まりテーパー状の第２リブ部３０Ｂとを含み、第１リブ部３０Ａの幅寸法の漸減割合が、第２リブ部３０Ｂの幅寸法の漸減割合よりも大きく設定されていると、装着部１６側で大きな規制力を確保しながら、突出端２１側に行くに従って、規制力を徐々に小さくすることができる。この場合にも、装着部１６側では電源コード８の捻りを確実に防ぐとともに、突出端２１側では、電源コード８を容易に屈曲させることができ、電源コード８を環状に纏めて束ねるなどの作業をよりスムーズかつ自然に行うことができる。
【００２８】
第２アーマー領域１５Ｂが折れ曲げるように急角度に屈曲させることができるように構成されていると、換言すれば第２アーマー領域１５Ｂの屈曲可能半径が極めて小さく設定されていると、電源コード８も急角度に屈曲させることが可能となるため、コードアーマー１０で被覆されているにも拘らず、当該屈曲された部分において電源コード８が疲労破壊して断線に至り易くなる。これに対して本発明のように、第２アーマー領域１５Ｂの外周面に、周方向に伸びる凹溝２８と凸条２７とを軸方向に交互に多段状に配列してなる蛇腹部を形成して、第２アーマー領域１５Ｂの軸方向の中央部における凸条２７（２７Ａ）の突端位置を、軸方向の端部における凸条２７（２７Ｂ）の突端位置よりも周方向の外寄りに位置させていると、屈曲時において中央部における凸条２７（２７Ａ）の突端同士が接触することで、第２アーマー領域１５Ｂが屈曲したときの屈曲半径（屈曲限界）が規制されるようにすることができる。以上の構成を採ることにより、第２アーマー領域１５Ｂ及び電源コード８が急角度に屈曲されることを防ぐことができるので、断線寿命の向上を図ることができる。
【００２９】
同様に、第２アーマー領域１５Ｂの軸方向の中央部における隣り合う凸条２７・２７同士の間隔寸法（ｄ１）を、軸方向の端部における隣り合う凸条２７・２７同士の間隔寸法よりも小さく設定していると、屈曲時において中央部における凸条２７同士が接触することで、第２アーマー領域１５Ｂが屈曲したときの屈曲半径（屈曲限界）を規制することができるので、第２アーマー領域１５Ｂ及び電源コード８が急角度に屈曲されることを防いで、断線寿命の向上を図ることができる。
【図面の簡単な説明】
【００３０】
【図１】本発明の実施例１に係る電気機器を構成するコードアーマーの縦断正面図である。
【図２】本発明の実施例１に係る電気機器の正面図である。
【図３】コードアーマーの正面図である。
【図４】（ａ）は図１のＶ−Ｖ線断面図、（ｂ）は図１のＷ−Ｗ線断面図、（ｃ）は図１のＸ−Ｘ線断面図である。
【図５】第２アーマー領域の縦断正面図である。
【図６】第２アーマー領域の追随変形状態を示す断面図である。
【図７】本発明の実施例２に係る電気機器を構成するコードアーマーの縦断正面図である。
【図８】コードアーマーの正面図である。
【図９】（ａ）は図７のＶ−Ｖ線断面図、（ｂ）は図７のＷ−Ｗ線断面図、（ｃ）は図７のＸ−Ｘ線断面図、（ｄ）は図７のＹ−Ｙ線断面図である。
【図１０】本発明の実施例３に係る電気機器を構成するコードアーマーの第２アーマー領域の縦断正面図である。
【図１１】本発明の実施例４に係る電気機器を構成するコードアーマーの縦断正面図である。
【発明を実施するための形態】
【００３１】
（実施例１）  図１乃至図６に、本発明に係る電気機器をヘアードライヤーに適用した実施例１を示す。本発明において前後・左右・上下とは、図１乃至図４に示す交差矢印と、各矢印の近傍に表記した前後・左右・上下の表示に従う。図２においてヘアードライヤーは、横長筒状のケース体１と、ケース体１の後部寄り下面に連結したグリップ２とからなる本体ケース３を備えている。ケース体１の内部には、軸流型の送風ファン５Ａと、ファン駆動用のモーター５Ｂと、送風ファン５Ａから送給される空気を加熱するヒーターユニット５Ｃなどが配置されている。これら送風ファン５Ａ、モーター５Ｂ、ヒーターユニット５Ｃなどが、本発明の機器本体５に相当する。
【００３２】
グリップ２の前面には、モーター５Ｂ及びヒーターユニット５Ｃを起動するスイッチノブ７が設けられている。モーター５Ｂやヒーターユニット５Ｃなどに駆動電流を供給するために、グリップ２の下端から電源コード８が導出されており、電源コード８のグリップ２からの導出基端部の外面には、同コード８の断線を防ぐコードアーマー１０が装着されている。図４（ａ）〜（ｃ）に示すように、電源コード８は、２本の撚り線である芯線１１・１１と両芯線１１・１１を被覆する絶縁被覆１２からなり、断面視で長辺方向と短辺方向とを有する長円形（長尺形）に形成されている。符号１３は電源コード８の導出端に設けた、商用電源（コンセント）用の差込みプラグである。
【００３３】
図１に示すようにコードアーマー１０は、上下方向に長い丸筒状の本体部１５と、本体部１５の上端に設けられた装着部１６と、吊掛リング１７とを一体に備える成形品からなる。装着部１６は、コードアーマー１０の最上部に水平方向に膨出形成されたボス片であり、グリップ２のコード取出口１８には装着部１６と係合する受溝１９が凹み形成されている。グリップ２は、左右に分割された半割ケースを蓋合せ状に接合して構成されており、これら半割ケースを図示しないビスで締結した状態において、受溝１９が装着部１６を前後左右の全周方向から挟持することで、コードアーマー１０をコード取出口１８に分離不能に嵌着固定することができる。コードアーマー１０は、耐熱性と可撓性とを有するエラストマー材質であることが好ましく、より具体的には、熱硬化性を有する合成ゴムなどのゴム系素材や、熱可塑性を有するエラストマー樹脂などの樹脂系素材を素材とするものであることが好ましい。電源コード８は、同コード８の長辺方向と、後述する一対のリブ３０・３０の配列方向とが一致するようにグリップ２（本体ケース３）に位置決め固定されている。電源コード８は蓋合せ前から既にグリップ２の一方の半割りケースに形成したリブに挟持固定されている。蓋合せ時にコードアーマー１０を固定するときに電源コード８の長辺方向と一対のリブ３０・３０の配列方向とが一致する状態となる。
【００３４】
本体部１５は、上方側である本体ケース３側に設けられたコード開口２０と、下方側である突出端２１側に設けられた先端開口２２とを有し、両開口２０・２２の間に電源コード８が挿通される挿通孔２３を有する上下方向に長い丸筒状のアーマー筒壁２４と、アーマー筒壁２４の下端に設けられた底壁２５とで構成される。図４（ａ）〜（ｃ）に示すように、挿通孔２３の内形寸法は、電源コード８の外形寸法よりも大きく設定されており、アーマー筒壁２４の内面と電源コード８の外面との間には空間部２６が形成されている。底壁２５に設けられた先端開口２２の内形形状は電源コード８の外形形状よりも僅かに小さく設定されており、挿通状態において先端開口２２は電源コード８の外周面に密着して空間部２６を閉塞している。先端開口２２は、前後方向が長く、左右方向が短い長円状に形成されており、本体部１５内に電源コード８を挿通したとき、電源コード８は長辺方向が前後方向に指向し、短辺方向が左右方向に指向する姿勢状態となるように構成されている（図４（ａ）〜（ｃ）参照）。
【００３５】
図１に示すように、本体部１５には、装着部１６側（上方側）から突出端２１側（下方側）に向って、隣り合う領域同士で互いに曲げ剛性の異なる３つの領域（第１アーマー領域１５Ａ〜第３アーマー領域１５Ｃ）が設定されている。第１アーマー領域１５Ａの曲げ剛性をＢ１、第２アーマー領域１５Ｂの曲げ剛性をＢ２、第３アーマー領域１５Ｃの曲げ剛性をＢ３としたとき、（Ｂ１＞Ｂ２）の関係式、及び（Ｂ３＞Ｂ２）の関係式を満たすように、各アーマー領域１５Ａ〜１５Ｃの曲げ剛性は設定されている。つまり、上下方向の中央部に位置する第２アーマー領域１５Ｂの曲げ剛性Ｂ２は、その上下に位置する第１アーマー領域１５Ａの曲げ剛性Ｂ１、及び第３アーマー領域１５Ｃの曲げ剛性Ｂ３よりも小さく設定されている。さらに本実施例では、第１アーマー領域１５Ａの曲げ剛性Ｂ１を、第３アーマー領域１５Ｃの曲げ剛性Ｂ３よりも大きくして、（Ｂ１＞Ｂ３＞Ｂ２）の関係式を満たすものとしている。なお、ここで言う「曲げ剛性」とは、各領域１５Ａ〜１５Ｃにおける曲げ剛性の平均値（第１アーマー領域１５Ａにおいては吊掛リング１７を除く）を意味している。
【００３６】
具体的には、本体部１５の軸方向（上下方向）の中央部には、周方向に形成された凸条２７と凹溝２８とを軸方向に交互に多段状に配列してなる蛇腹部が形成されており、当該蛇腹部を有する領域を第２アーマー領域１５Ｂと規定し、第２アーマー領域１５Ｂの装着部１６側（上方側）の領域を第１アーマー領域１５Ａと規定し、第２アーマー領域１５Ｂの突出端２１側（下方側）の領域を第３アーマー領域１５Ｃと規定している。第１アーマー領域１５Ａにおけるアーマー筒壁２４の肉厚寸法ｔ１は、第３アーマー領域１５Ｃにおけるアーマー筒壁２４の肉厚寸法ｔ３よりも大きく設定されており（図４（ａ）（ｃ）参照）、これにより第１アーマー領域１５Ａの曲げ剛性Ｂ１は、第３アーマー領域１５Ｃの曲げ剛性Ｂ３よりも大きなものとされている。また、第２アーマー領域１５Ｂの凹溝２８における肉厚寸法ｔ２は、第３アーマー領域１５Ｃにおけるアーマー筒壁２４の肉厚寸法ｔ３よりも小さく設定されており、蛇腹部が形成されていることと相俟って、当該第２アーマー領域１５Ｂの曲げ剛性Ｂ２は、他のアーマー領域１５Ａ・１５Ｃに比べて小さなものとされている。以上より、電源コード８が屈曲されるとき、第２アーマー領域１５Ｂを、他のアーマー領域１５Ａ・１５Ｃに先んじて優先的に屈曲変形させることができる。
【００３７】
図５に示すように、第２アーマー領域１５Ｂの軸方向の中央部における凸条２７（２７Ａ）の突端位置は、軸方向の端部における凸条２７（２７Ｂ）の突端位置よりも周方向の外寄りに位置している。これにより、中央部における凸条２７（２７Ａ）の突端同士が接触することで、第２アーマー領域１５Ｂが屈曲したときの屈曲半径（屈曲限界）を規制することができるようになっている（図６参照）。従って、電源コード８が急角度に屈曲されることを防いで断線寿命の向上を図ることができる。
【００３８】
図１および図３に示すように、本体部１５の外周の前後面には、補強用の前後一対のリブ３０・３０が突設されている。図３に示すように、正面視において、各リブ３０は、上方側に設けられた左右幅広の第１リブ部３０Ａと、第１リブ部３０Ａの下方側に設けられた細長の第２リブ部３０Ｂとで構成される。第１リブ部３０Ａは、上端側が左右方向に幅広に膨出形成されて、下方に向って幅寸法が漸減する水滴状に形成されている。第２リブ部３０Ｂは、第１リブ部３０Ａの周縁に滑らかに連続して下方に向って漸次幅寸法が小さくなる、細長の先窄まりテーパー状に形成されている。第１リブ部３０Ａの幅寸法の漸減割合は、第２リブ部３０Ｂの幅寸法の漸減割合よりも大きく設定されている。各リブ３０は、本体部１５の第１アーマー領域１５Ａから第３アーマー領域１５Ｃに亘って上下方向に長く形成されており、第１アーマー領域１５Ａと第２アーマー領域１５Ｂとの境界部におけるリブ３０の左右方向の幅寸法Ｗ１は、第２アーマー領域１５Ｂと第３アーマー領域１５Ｃとの境界部におけるリブ３０の左右方向の幅寸法Ｗ２に比べて大きく設定されている。本実施例では、第１リブ部３０Ａにおいて最も幅寸法の大きな部分が、第１アーマー領域１５Ａと第２アーマー領域１５Ｂとの境界部に位置するように構成されている。また、第１リブ部３０Ａの下方に向う幅寸法の漸減割合は、第２リブ部３０Ｂの下方に向う幅寸法の漸減割合よりも大きく設定されており、第１リブ部３０Ａでは急激に幅寸法が小さくなるように構成されている。
【００３９】
上述のように、本体部１５内に電源コード８を挿通したとき、電源コード８は長辺方向が前後方向に指向し、短辺方向が左右方向に指向する姿勢状態となるように位置決め固定されている。これに対して、一対のリブ３０・３０は、本体部１５の外周の前後面に配設されている。従って、電源コード８の長辺方向と、一対のリブ３０・３０の配列方向とは、共に前後方向で一致している（図４（ｂ）（ｃ）参照）。
【００４０】
コードアーマー１０の各部の寸法は、次のように設定した。コードアーマー１０の全長Ｌ１を６５ｍｍとし、リブ３０の上下方向の長さＬ２は４８ｍｍとした。また、第１アーマー領域１５Ａの肉厚寸法ｔ１を４ｍｍとし、第２アーマー領域１５Ｂの肉厚寸法ｔ２を１．４ｍｍとし、第３アーマー領域１５Ｃの肉厚寸法ｔ３は２ｍｍとした。第１アーマー領域１５Ａと第２アーマー領域１５Ｂとの境界部におけるリブ３０の左右方向の幅寸法Ｗ１は９．５ｍｍとし、第２アーマー領域１５Ｂと第３アーマー領域１５Ｃとの境界部におけるリブ３０の左右方向の幅寸法Ｗ２は２．３ｍｍとした。第１アーマー領域１５Ａ、第２アーマー領域１５Ｂ、及び第３アーマー領域１５Ｃの上下方向の長さ寸法は、それぞれ２０ｍｍ、２３ｍｍ、１８．５ｍｍとしており、これら第１アーマー領域１５Ａ〜第３アーマー領域１５Ｃで本体部１５の上下寸法を略三等分するようにした。
【００４１】
以上のような構成からなるコードアーマー１０を備えるヘアードライヤーにおいては、本体ケース３のコード取出口１８から導出された電源コード８が外力を受けて変形する場合には、コードアーマー１０の第１アーマー領域１５Ａ、及び第３アーマー領域１５Ｃは電源コード８の変形に追従して容易には曲がり難く、第２アーマー領域１５Ｂのみが優先的に弾性変形されることとなる。電源コード８においても、第２アーマー領域１５Ｂで被覆された部分が優先的に屈曲されることとなる。これによれば、例えば長期に亘って繰り返して電源コード８の導出基端部に屈曲力が加わり、疲労破壊により電源コード８の導出基端部が断線に至る場合でも、第２アーマー領域１５Ｂで被覆された部分において電源コード８を断線させることができる。つまり第２アーマー領域１５Ｂで被覆された部分を断線予定部とすることができる。従って、本実施例によれば、スパーク片が突出端２１に至るまでの飛散距離を大きくして、コードアーマー１０の内部でスパーク片の熱を確実に放熱することができる。また電源コード８が断線してスパーク片がアーマー筒壁２４の内部に飛び散った場合でも、空間部２６内においてアーマー筒壁２４の内周面と電源コード８の周面とに繰り返して衝突させることができるので、この点でもスパーク片の熱を確実に放散することができる。以上より、断線が生じた場合でも、飛散途中のスパーク片の温度を効果的に低下させて、熱的に減衰した状態のスパーク片をアーマー筒壁２４で受け止めることができるので、スパーク片がコードアーマー１０から飛び出すことを防ぐことができる。さらに、コードアーマー１０の突出端２１において底壁２５により空間部２６は閉塞されているため、スパーク片の外部への飛び出しを確実に防止することができる。
【００４２】
特に本実施例においては、第１アーマー領域１５Ａの曲げ剛性Ｂ１を、第２アーマー領域１５Ｂや第３アーマー領域１５Ｃの曲げ剛性Ｂ２、Ｂ３よりも大きく設定したので、第１アーマー領域１５Ａと第２アーマー領域１５Ｂとの境界部において、コードアーマー１０及び電源コード８を急角度に屈曲変形させることは容易であり、かかる境界部において断線を発生させることができる。これによれば、第２アーマー領域１５Ｂの最上部を断線予定部とすることができるので、第２アーマー領域１５Ｂの中央部を断線予定部とする構成に比べて、スパーク片が底壁２５に至るまでの飛散距離をさらに大きくすることができる。従って、コードアーマー１０の内部でスパーク片の熱を放熱することができ、スパーク片がコードアーマー１０から飛び出すことをより確実に防ぐことができる。
【００４３】
本体部１５の外周面に軸方向（上下方向）に向って走るように、リブ３０が突設されていると、コードアーマー１０の捻り変形を抑えることができるので、当該コードアーマー１０に保護される電源コード８が不用意に捻れることを防いで、電源コード８が断線に陥ることを防ぐことができる。また、本体部１５の外周面に軸方向（上下方向）に向って走るように、リブ３０が突設されていると、リブ３０の形成方向の屈曲変形に対する規制力をコードアーマー１０に付与することができるので、コードアーマー１０の屈曲方向を規定することができる。特に、リブ３０が第１アーマー領域１５Ａから第３アーマー領域１５Ｃに亘って形成されていると、本体部１５における軸方向（上下方向）のリブ３０の長さ寸法をより大きく採ることができるので、コードアーマー１０の捻り変形をより確実に抑えることができる。第１アーマー領域１５Ａと第２アーマー領域１５Ｂとの境界部に係る断線予定部において電源コード８が不用意に捻れることを防ぐことができるので、当該断線予定部において電源コード８に加わるストレスを小さくして、断線寿命を向上させることができる。
【００４４】
特に、第１アーマー領域１５Ａと第２アーマー領域１５Ｂとの境界部におけるリブ３０の幅寸法Ｗ１が、第２アーマー領域１５Ｂと第３アーマー領域１５Ｃとの境界部における幅寸法Ｗ２よりも大きく設定されていると、第１アーマー領域１５Ａと第２アーマー領域１５Ｂとの境界部に係る断線予定部において電源コード８が不用意に捻れることをより確実に防ぐことができる。従って、当該断線予定部において電源コード８に加わるストレスを小さくして、断線寿命を向上させることができる。
【００４５】
本体部１５の前後面にリブ３０・３０が突設されていると、コードアーマー１０の前後方向の屈曲変形に対する規制力を付与することができるので、コードアーマー１０が前後方向に容易に屈曲変形することを抑えることができる。一方、左右方向に対するコードアーマー１０の屈曲変形をリブ３０・３０が阻害することはなく、従って、実質的にコードアーマー１０の屈曲方向を左右方向に規定することができる。
【００４６】
一般的に断面視で長辺方向と短辺方向とを有する所謂「平コード」と称される電源コード８においては、短辺方向に電源コード８が屈曲することは想定されているものの、長辺方向に電源コード８が屈曲することは想定されておらず、当該長辺方向に向って繰り返して電源コード８が屈曲変形されると、疲労破壊により断線が生じ易い。つまり、平コードが長辺方向に屈曲されると、屈曲時に内側に位置する芯線１１に比べて、外側に位置する芯線１１は大きく伸長されるため、外側に位置する芯線１１に加わる歪や負荷などのストレスが大きくなることが避けられず、結果として疲労破壊により断線が生じ易い。そこで、本実施例のように、グリップ２により規定される電源コード８の長辺方向と、外周面の対向位置に突設された一対のリブ３０・３０の配列方向とを前後方向で一致させていると、平コードである電源コード８が長辺方向（前後方向）へ電源コード８が屈曲することを抑えることができるので、電源コード８が疲労破壊により断線することを効果的に防ぐことができる。さらに、電源コード８は、突出端２１の底壁２５に形成された先端開口２２によっても電源コード８の長辺方向と一対のリブ３０・３０の配列方向とが一致するように規定されていることにより、電源コード８が長辺方向へ屈曲することを抑えることができるので、これによっても電源コード８が疲労破壊により断線することを効果的に防ぐことができる。リブ３０の存在により短辺方向（左右方向）における電源コード８の屈曲が大きく妨げられることはなく、短辺方向（左右方向）に電源コード８を屈曲させることは容易であるため、例えば、ドライヤーの収納時において、電源コード８を環状に纏めて束ねるなどの作業をよりスムーズ且つ自然に行うことができる。
【００４７】
リブ３０が、装着部１６側に設けられて左右方向に膨出形成されて突出端２１に向って幅寸法が漸減する水滴状の第１リブ部３０Ａと、第１リブ部３０Ａに連続して突出端２１に向って漸次幅寸法が小さくなる先窄まりテーパー状の第２リブ部３０Ｂとを含むものとして、第１リブ部３０Ａの幅寸法の漸減割合が、第２リブ部３０Ｂの幅寸法の漸減割合よりも大きく設定されていると、装着部１６側で大きな規制力を確保しながら、突出端２１側に行くに従って、規制力を徐々に小さくすることができる。従って、装着部１６側では電源コード８の捻りを確実に防ぐとともに、突出端２１側では、電源コード８を容易に屈曲させることができ、電源コード８を環状に纏めて束ねるなどの作業をよりスムーズかつ自然に行うことができる。
【００４８】
第２アーマー領域１５Ｂが折れ曲げるように急角度に屈曲させることができるように構成されていると、換言すれば第２アーマー領域１５Ｂの屈曲可能半径が極めて小さく設定されていると、電源コード８も急角度に屈曲させることが可能となるため、コードアーマー１０で被覆されているにも拘らず、当該屈曲された部分において電源コード８が疲労破壊して断線に至り易くなる。そこで本実施例に係るコードアーマー１０では、第２アーマー領域１５Ｂに、その屈曲半径を規制するための規制構造を設けて、第２アーマー領域１５Ｂ及び電源コード８が急角度に屈曲されることを防いでいる。具体的には、図５に示すように、第２アーマー領域１５Ｂの軸方向の中央部における凸条２７（２７Ａ）の突端位置を、軸方向の端部における凸条２７（２７Ｂ）の突端位置よりも周方向の外寄りに位置させて、換言すれば、第２アーマー領域１５Ｂにおいて両端から中央部に向かうに従って漸次凸条２７の高さが高くなるように構成させて、図６に示すように、屈曲時において中央部における凸条２７（２７Ａ）の突端同士が接触することで、第２アーマー領域１５Ｂが屈曲したときの屈曲半径（屈曲限界）が規制されるようにしている。以上の構成を採ることにより、第２アーマー領域１５Ｂ及び電源コード８が急角度に屈曲されることを防ぐことができるので、断線寿命の向上を図ることができる。
【００４９】
（実施例２）  図７乃至図９に本発明の実施例２を示す。この実施例２においては、本体部１５のアーマー領域として、曲げ剛性の異なる４つの領域（第１アーマー領域１５Ａ〜第４アーマー領域１５Ｄ）が設定されている点が、先の実施例１と相違する。また、リブ３０が、第１アーマー領域１５Ａ〜第４アーマー領域１５Ｄに至るように形成されている点が、先の実施例１と相違する。それ以外の点は、先の実施例１と同様であるので、同一の部材には同一の符号を付して、その説明を省略する。
【００５０】
本体部１５の軸方向（上下方向）の中央部には、周方向に形成された凸条２７と凹溝２８とを軸方向に交互に多段状に配列してなる蛇腹部が形成されており、当該蛇腹部を有する領域を第２アーマー領域１５Ｂと規定し、第２アーマー領域１５Ｂの装着部１６側（上方側）の領域を第１アーマー領域１５Ａと規定し、第２アーマー領域１５Ｂの突出端２１側（下方側）の領域を第３アーマー領域１５Ｃと規定し、さらに第３アーマー領域１５Ｃの突出端２１側（下方側）に第４アーマー領域１５Ｄを規定している。第２アーマー領域１５Ｂよりも突出端２１側（下方側）におけるアーマー筒壁２４の肉厚寸法は、突出端２１側（下方側）に向って漸次小さくなるように設定されており、本実施例においては、第２アーマー領域１５Ｂよりも突出端２１側（下方側）に位置する領域において、第２アーマー領域１５Ｂの凹溝２８における肉厚寸法ｔ２よりも大きな部分を第３アーマー領域１５Ｃと規定し、凹溝２８における肉厚寸法ｔ２よりも小さな部分を第４アーマー領域１５Ｄと規定している。
【００５１】
第１アーマー領域１５Ａにおけるアーマー筒壁２４の肉厚寸法ｔ１は、第３アーマー領域１５Ｃにおけるアーマー筒壁２４の肉厚寸法ｔ３よりも大きく設定されており（図９（ａ）（ｃ）参照）、これにより第１アーマー領域１５Ａの曲げ剛性Ｂ１は、第３アーマー領域１５Ｃの曲げ剛性Ｂ３よりも大きなものとされている。加えて、第２アーマー領域１５Ｂの凹溝２８における肉厚寸法ｔ２は、第３アーマー領域１５Ｃにおけるアーマー筒壁２４の肉厚寸法ｔ３よりも小さいため、蛇腹部が形成されていることと相俟って、当該第２アーマー領域１５Ｂの曲げ剛性Ｂ２は、アーマー領域１５Ａ・１５Ｃに比べて小さなものとされている。第４アーマー領域１５Ｄにおけるアーマー筒壁２４の肉厚寸法ｔ４は、第２アーマー領域１５Ｂの凹溝２８における肉厚寸法ｔ２よりも小さいため、当該第４アーマー領域１５Ｄの曲げ剛性Ｂ４は、第２アーマー領域１５Ｂの曲げ剛性Ｂ２よりも小さなものとされている。以上より、第１アーマー領域１５Ａ〜第４アーマー領域１５Ｄの曲げ剛性Ｂ１〜Ｂ４は、（Ｂ１＞Ｂ３＞Ｂ２＞Ｂ４）の関係式を満たすものとされている。
【００５２】
このように、コードアーマー１０の突出端部に位置する第４アーマー領域１５Ｄの曲げ剛性Ｂ４が、他のアーマー領域（第１〜第３アーマー領域１５Ａ〜１５Ｃ）に比べて小さく設定されていると、コードアーマー１０の突出端２１を電源コード８の動きに追随させて柔軟に屈曲させることが可能となる。これにより、突出端２１において電源コード８に付与されるストレスを小さくすることができるので、当該突出端２１において電源コード８が保持されていたとしても、当該突出端２１で保持される電源コード８の部分が、他の部分よりも先に断線することを確実に防止することができる。
【００５３】
（実施例３）  図１０に本発明の実施例３を示す。この実施例３においては、第２アーマー領域１５Ｂの屈曲半径を規制するための規制構造が実施例１と相違する。具体的には、蛇腹部を有する第２アーマー領域１５Ｂを構成する凸条２７の突端位置が全て均一に設定されている点、及び蛇腹部を有する第２アーマー領域１５Ｂの軸方向（上下方向）の中央部における隣り合う凸条２７同士の間隔寸法が、軸方向（上下方向）の端部における隣り合う凸条２７同士の間隔寸法よりも小さく設定されている点が、先の実施例１と相違する。ここでは、隣り合う凸条２７同士の間隔寸法が、中央部から端部に行くに従って、次第に大きくなるように設定している。すなわち、隣り合う凸条同士の間隔寸法を「ｄ」としたとき、中央部において隣り合う凸条２７・２７同士の間隔寸法ｄ１が一番小さく、それよりも端部に位置する凸条２７・２７同士の間隔寸法ｄ２、ｄ３、ｄ４、ｄ５が次第に大きくなるように設定している（ｄ１＜ｄ２＜ｄ３＜ｄ４＜ｄ５）。
【００５４】
このように、第２アーマー領域１５Ｂの軸方向（上下方向）の中央部における隣り合う凸条２７同士の間隔寸法を、軸方向（上下方向）の端部における隣り合う凸条２７同士の間隔寸法よりも小さく設定していると、屈曲時において中央部における凸条２７同士が接触することで、第２アーマー領域１５Ｂが屈曲したときの屈曲半径（屈曲限界）を規制することができるので、第２アーマー領域１５Ｂ及び電源コード８が急角度に屈曲されることを防いで、断線寿命の向上を図ることができる。
【００５５】
（実施例４）  図１１に本発明の実施例４を示す。この実施例４においては、コードアーマー１０の本体ケース３側（上方側）の端部に、電源コード８の長辺方向と一対のリブ３０・３０の配列方向とを一致させるための電源コード８の位置決め構造が設けられている点、及び底壁２５を廃してコードアーマー１０の突出端２１を開放した点が、先の実施例１と大きく相違する。それ以外の点、例えば、第１アーマー領域１５Ａの曲げ剛性Ｂ１が、第２アーマー領域１５Ｂや第３アーマー領域の曲げ剛性Ｂ２、Ｂ３よりも大きく設定されており、第１アーマー領域１５Ａと第２アーマー領域１５Ｂの境界部が断線予定部とされている点などは、先の実施例１と同様である。
【００５６】
具体的には、挿通孔２３の上端には、電源コード８の外周面に密着して、電源コード８を挟持保持する狭隘部３５が形成されており、この狭隘部３５に電源コード８を挿通させることで、電源コード８が位置決めされて、当該電源コード８の姿勢方向が規定されるようになっている。本実施例では、挿通孔２３の第１アーマー領域１５Ａの上半部分を狭隘部３５としている。
【００５７】
第１アーマー領域１５Ａの曲げ剛性Ｂ１を、第２アーマー領域１５Ｂや第３アーマー領域の曲げ剛性Ｂ２、Ｂ３よりも大きく設定して、第１アーマー領域１５Ａと第２アーマー領域１５Ｂの境界部を断線予定部とした場合には、第２アーマー領域１５Ｂと第３アーマー領域１５Ｃに形成された空間部２６がスパーク片の放熱効果に寄与し得るものとなり、第１アーマー領域１５Ａにおける空間部２６は実質的には不要となる。そこで、本実施例においては、狭隘部３５を形成した分だけ、第１アーマー領域１５Ａにおける空間部２６を小さくするとともに、少なくとも第２アーマー領域１５Ｂと第３アーマー領域１５Ｃの挿通孔２３に空間部２６を形成している。
【００５８】
先端開口２２の内径寸法は、電源コード８の外形寸法よりも大径に設定されており、先端開口２２の内周面は電源コード８の外周面に密着しておらず、空間部２６は開放されている。これによれば、先端開口２２が電源コード８の外周面に密着している構成に比べて、突出端２１において電源コード８に付与されるストレスを小さくすることできるので、当該突出端２１において電源コード８が断線することを確実に防ぐことができる。
【００５９】
上記実施例においては、本発明をヘアードライヤーに適用に適用した例を示したが、本発明は、ヘアードライヤー以外にヘアーアイロン、ブラシ付のヘアードライヤー、マッサージ器、電動ドリル、電動のこぎりなどの手持式の電気機器に広く適用できる。上記実施例においては、コードアーマー１０の各領域の厚みの差により、それぞれの領域の曲げ剛性に差異を持たせたが、本発明はこれに限られず、例えば各領域の硬度を変えることで、各領域の曲げ剛性に差異を持たせるようにしてもよい。なお、この場合には、各領域は同一材料で成形するものに限られず、異なる材料で成形するものであってもよい。各領域の硬度を変える場合には、各領域の筒壁の厚みは同一とすることができる。
【符号の説明】
【００６０】
３  本体ケース
５  機器本体
８  電源コード
１０  コードアーマー
１１  芯線
１５  本体部
１５Ａ  第１アーマー領域
１５Ｂ  第２アーマー領域
１５Ｃ  第３アーマー領域
１５Ｄ  第４アーマー領域
１６  装着部
２０  コード開口
２１  突出端
２２  先端開口
２３  挿通孔
２６  空間部
２７  凸条
２８  凹溝
３０  リブ
３０Ａ  第１リブ部
３０Ｂ  第２リブ部
【図１】
2019212758.tif 000003
【図２】
2019212758.tif 000004
【図３】
2019212758.tif 000005
【図４】
2019212758.tif 000006
【図５】
2019212758.tif 000007
【図６】
2019212758.tif 000008
【図７】
2019212758.tif 000009
【図８】
2019212758.tif 000010
【図９】
2019212758.tif 000011
【図１０】
2019212758.tif 000012
【図１１】
2019212758.tif 000013